(57)【要約】【課題】排水性を向上させた靴底およびそれを用いた靴を提供する。【解決手段】アウトソール１４の底面１２に、前後方向に連続配置された複数のブロック４０を設ける。ブロックは、底面の接地面１３からの高さが前方が高く後方が低くなるように形成する。【選択図】図２
2013135773.tif 000002
【特許請求の範囲】
【請求項１】
アウトソールを有する靴底であって、
前記アウトソールの底面に、前後方向に連続配置された複数のブロックを有しており、
前記各ブロックは、前記底面の接地面からの高さが前方が高く後方が低く形成されていることを特徴とする靴底。
【請求項２】
前記底面の内外方向の中央部分に、間隔をおいて配置され下方が開口する内溝および外溝からなる内外方向１対の主溝が後端と前端とを連通して形成されており、
前記各ブロックは、前記内溝に隣位する前記底面の内側領域および前記外溝に隣位する前記底面の外側領域のそれぞれに配設されている請求項１に記載の靴底。
【請求項３】
前記内側領域に配置された前記各ブロックの前後方向の境界部分は、前記内溝側前方から内側後方に向かうように前後方向に対して傾斜しており、
前記外側領域に配置された前記各ブロックの前後方向に連続する境界部分は、前記外溝側前方から外側後方に向かうように前後方向に対して傾斜している請求項２に記載の靴底。
【請求項４】
前記主溝の前記底面の接地面からの高さは、前記各ブロックの最大高さと同じかより高く形成されている請求項２または３に記載の靴底。
【請求項５】
前記各ブロックは、前記底面の接地面からの高さが前記主溝側が高く、前記主溝から内外方向に離間した前記主溝とは反対側が低く形成されている請求項２〜４のいずれか１項に記載の靴底。
【請求項６】
前記各ブロックは、一端が前記主溝に連通する補助溝を有している請求項２〜５のいずれか１項に記載の靴底。
【請求項７】
前記各ブロックは、前記底面の内縁と外縁との間に配設されている請求項１に記載の靴底。
【請求項８】
前記各ブロックの前後方向に連続する境界部分は、内外方向の外側前方から内側後方に向かうように前後方向に対して傾斜している請求項７に記載の靴底。
【請求項９】
前記各ブロックは、前記底面の接地面からの高さが内外方向の内側が高く外側が低く形成されている請求項７または８に記載の靴底。
【請求項１０】
前記各ブロックは、一端が外側縁部に連通する補助溝を有している請求項７〜９のいずれか１項に記載の靴底。
【請求項１１】
請求項１〜１０のいずれか１項に記載の靴底を装着したことを特徴とする靴。
【発明の詳細な説明】
【技術分野】
【０００１】
本発明は、底面の排水性を向上させた靴底およびそれを用いた靴に関する。
【背景技術】
【０００２】
水に濡れた歩行面（路面、地面、床面等）が滑りやすいのは、水に濡れた歩行面を移動する歩行時に、靴底の底面と歩行面との間に水が介在するからであり、この水を靴底の底面より速やかに排出することによって滑りを防止することができる。
【０００３】
そこで、従来の靴においては、同じような高さの凸部が靴底に配置され、各凸部の間に溝が形成されている（例えば、特許文献１参照）。
【先行技術文献】
【特許文献】
【０００４】
【特許文献１】特開２００４−２６７４０７号公報
【発明の概要】
【発明が解決しようとする課題】
【０００５】
しかしながら、特許文献１の靴は、歩行時に、表面張力によって上記溝に水が付着し易く、排水性に劣るものであった。
【０００６】
本発明は、上述した事情に鑑みてなされたものであり、排水性を向上させた靴底およびそれを用いた靴を提供することを目的とする。
【課題を解決するための手段】
【０００７】
本発明は、前記目的を達成するため、アウトソールを有する靴底であって、前記アウトソールの底面に、前後方向に連続配置された複数のブロックを有しており、前記各ブロックは、前記底面の接地面からの高さが前方が高く後方が低く形成されていることを特徴とする靴底およびそれを用いた靴を提供する。
【０００８】
本発明では、前記底面の内外方向の中央部分に、間隔をおいて配置され下方が開口する内溝および外溝からなる内外方向１対の主溝が後端と前端とを連通して形成されており、前記各ブロックは、前記内溝に隣位する前記底面の内側領域および前記外溝に隣位する前記底面の外側領域のそれぞれに配設されている構成とすることができる。さらに、本発明では、前記内側領域に配置された前記各ブロックの前後方向の境界部分は、前記内溝側前方から内側後方に向かうように前後方向に対して傾斜しており、前記外側領域に配置された前記各ブロックの前後方向に連続する境界部分は、前記外溝側前方から外側後方に向かうように前後方向に対して傾斜している構成とすることができる。以上のような構成により、歩行時にブロックと歩行対象箇所の間に介在する水を主溝に流入させたり、ブロックの境界部分から底面の内側縁部あるいは外側縁部を介して外部に排水させたりできる。
【０００９】
前記主溝の前記底面の接地面からの高さは、前記各ブロックの最大高さと同じかより高く形成されている構成とすることができる。これにより、歩行時に、ブロックと歩行対象箇所の間に介在する水を主溝に流動させ易くできるし、主溝に流入した水の流動性を高くできる。
【００１０】
また、前記各ブロックは、前記底面の接地面からの高さが前記主溝側が高く、前記主溝から内外方向に離間した前記主溝とは反対側が低く形成されている構成とすることが好ましい。これにより、歩行時に、ブロックと歩行対象箇所の間に介在する水を主溝により流動させ易くできる。その結果、水を爪先部の前端から外部に確実に排水できる。
【００１１】
さらに、前記各ブロックは、一端が前記主溝に連通する補助溝を有している構成とすることが好ましい。これにより、歩行時に、ブロックと歩行対象箇所の間に介在する水を主溝に向かって流動させ易くできる。
【００１２】
本発明では、前記各ブロックは、前記底面の内縁と外縁との間に配設されている構成とすることができる。さらに、本発明では、前記各ブロックの前後方向に連続する境界部分は、内外方向の外側前方から内側後方に向かうように前後方向に対して傾斜している構成とすることができる。以上のような構成により、歩行時に、ブロックと歩行対象箇所の間に介在する水を内外方向の外側に向かって流動させ易くできる。
【００１３】
この場合、前記各ブロックは、前記底面の接地面からの高さが内外方向の内側が高く外側が低く形成されている構成とすることが好ましい。これにより、歩行時に、ブロックと歩行対象箇所の間に介在する水を内外方向の外側に向かって流動させて外部に排水できる。その結果、水が内外方向の内側に排水されないので、水が内外方向の内側に排水されることによって発生する水跳ねにより靴を履いた使用者の付けている靴下やズボンの裾が濡れるという不都合を防止できる。
【００１４】
また、前記各ブロックは、一端が外側縁部に連通する補助溝を有している構成とすることが好ましい。これにより、歩行時に、ブロックと歩行対象箇所の間に介在する水を内外方向外側に向かって流動させ易くできる。
【発明の効果】
【００１５】
本発明の靴底および靴は、アウトソールの底面に、前述した構成のブロックを設けたので、従来の主溝と異なり、表面張力によってブロックの表面に水が付着するのを防止できるから、排水性を向上できるなどの優れた効果を奏する。また、本発明の靴底および靴は、各ブロックにおいて底面の接地面からの高さが前方が高く後方が低く形成されているので、ブロック４０が後ろ側に接するブロックとの境界には段差が形成され、隣接するブロック間には法面が形成され、法面が運動方向に対して直行する方向に存在しその結果として後方への制動力として作用する。そのためグリップ力を高くできるなどの優れた効果を奏する。
【図面の簡単な説明】
【００１６】
【図１】本発明に係る靴底の第１実施形態の下面図
【図２】図１のブロックの概略形状を示す概略図であり、（ａ）は前後方向、（ｂ）は内外方向
【図３】図１のａ−ａ線に沿った断面図
【図４】図１のｂ−ｂ線に沿った断面図
【図５】図１のｃ−ｃ線に沿った断面図
【図６】本発明に係る靴底の第２実施形態の下面図
【図７】図６のｄ−ｄ線に沿った断面図
【図８】図６のｅ−ｅ線に沿った断面図
【発明を実施するための形態】
【００１７】
以下、本発明を図面に示す実施形態により説明する。
【００１８】
（第１実施形態）
図１から図５は本発明に係る靴底の第１実施形態の要部を示すものであり、図１は下面図、図２は図１の要部の概略断面図、図３は図１のａ−ａ線に沿った断面図、図４は図１のｂ−ｂ線に沿った断面図、図５は図１のｃ−ｃ線に沿った断面図である。なお、図１から図５は右足用の靴底のみを示しているが、右足用と左足用とは左右対称である。さらに、図１の右方向が足の内側であり、左方向が足の外側であり、図１の上方が足の前側であり、図１の下方が足の後側である。
【００１９】
図１に示すように、本実施形態の靴底１０は、歩行時に地面と対向する底面１２を具備するアウトソール１４と、アウトソール１４に積層されたミッドソール１６とを有している。そして、アウトソール１４の表面である底面１２は、前側から後側に向かって順に、爪先部２１、踏付け部２２、土踏まず部２３、踵部２４となっている。なお、ミッドソール１６の上面には、従来公知の図示しないアッパー部が装着されることで靴、例えばウォーキングシューズやゴルフシューズが形成されるようになっている。
【００２０】
また、アウトソール１４およびミッドソール１６の材質は、従来公知の各種のものから選択使用することができる。例えば、アウトソール１４の材質としては、ＴＰＵ（熱可塑性ポリウレタン）、ゴム、ＥＶＡ（エチレン−酢酸ビニル共重合体）、ウレタン樹脂などの弾性体を挙げることができ、ミッドソール１６の材質としては、ＥＶＡ、ポリオレフィン発泡体、ポリウレタン発泡体、ＴＰＵ、ゴムなどの弾性体を挙げることができる。
【００２１】
前記底面１２の内外方向の中央部分には、地面と対向する下方が開口する内溝３２ａおよび外溝３２ｂからなる内外方向１対の主溝３２（符号３２は、内溝３２ａおよび外溝３２ｂを総称する。）が所定の間隔（内溝３２ａの中心と外溝３２ｂの中心との間隔）、例えば１０ｍｍの間隔をおいて形成されている。この主溝３２は、底面１２に付着した水を外部に排水するための排水路となるものであり、その長手方向に対して直交する幅方向の溝幅Ｗ（図２）が３−６ｍｍの範囲、本実施形態においては５ｍｍで、地面と接する接地面１３（ベース面）からの高さＨ（深さ：図２、図３、図５）が３−６ｍｍの範囲、本実施形態においては４ｍｍに形成されている。溝幅Ｗが、この範囲を超えると使用者が足裏に違和感を感じ、この範囲より小さいと排水性が小さくなるし、表面張力により主溝３２の天壁に水が付着し易くなって排水性がさらに小さくなる傾向がある。また、主溝３２の天壁は、その幅方向の断面形状が上方に凸の湾曲状に形成されている（図５）。なお、主溝３２の断面形状としては、天壁の角部を丸めることが、集中荷重によるクラックの発生を防止して耐久性を向上できるという点などで好ましい。
【００２２】
前記底面１２の内溝３２ａに隣位する内側領域、および、底面１２の外溝３２ｂに隣位する外側領域のそれぞれには、前後方向に連続配置された複数のブロック４０が設けられている。ブロック４０の数は、内側領域および外側領域のそれぞれにおいて、５−１０個とすることが適当である。
【００２３】
ここで、ブロック４０の概略形状について、図２の概略図により説明する。
【００２４】
各ブロック４０は、図２（ａ）に示すように、接地面１３からの高さ（深さ）が、全体として前方が高く（深く）後方が低く（浅く）形成されている。このブロック４０の前方の接地面１３からの最大高さｈは、２−６ｍｍの範囲、本実施形態においては４ｍｍに形成されている。ブロック４０の最大高さｈが、この範囲を超えると歩行時に底面１２と歩行対象箇所の間に介在する水の流動性が小さくなる。なお、ブロック４０の後端縁は、図２（ａ）に示すように接地面１３に対して傾斜した傾斜面とすることができるし、接地面１３に対して鉛直な鉛直面とすることもできる。したがって、前後方向に隣位する２つのブロック４０の境界部分は、段部とされている。また、各ブロック４０は、図２（ｂ）に示すように、接地面１３からの高さが、全体として主溝側（内外方向中央）が高く、主溝３２から内外方向に離間した主溝３２とは反対側（内外方向両端）が低く形成されている。
【００２５】
本実施形態の各ブロック４０の形状を図１、図３から図５により説明する。
【００２６】
前記内側領域に配置された各ブロック４０の前後方向の境界部分は、内溝側前方から内側後方に向かうように前後方向に対して傾斜しており、外側領域に配置された各ブロック４０の前後方向に連続する境界部分は、外溝側前方から外側後方に向かうように前後方向に対して傾斜している。なお、各ブロック４０の前後方向の境界部分は、接地面１３より高く形成されている。すなわち、前後方向に連続するブロック４０の境界部分は段部になっている。また、各ブロック４０は、全体として接地面１３が平面略葉片形状をなすとともに、主溝側の端部が前方に配置され、他端が後方に位置するように形成されている。さらに、各ブロック４０の最大高さｈの領域は、主溝側前部の大きさが、内外方向両端側前部の大きさより大きく形成されている。ここで、各ブロック４０の最大高さｈを主溝３２の高さＨより低くすることが、主溝３２へ水を流入しやすいという意味で好ましい。
【００２７】
前記各ブロック４０の表面には、排水の方向を主溝３２に導くための補助溝４２が形成されている。この補助溝４２は、爪先部先端側のブロック４０ａを除いて一端が主溝３２に連通されており、他端は周縁に連通しないように、ブロック４０の内部に配置されており、他端側が複数に分岐されている。勿論、補助溝４２としては、他端を分岐しない構成とすることができる。また、爪先部先端側のブロック４０ａに設けられた補助溝４２ａは、一端が爪先部先端縁に連通されており、他端は周縁に連通しないように、ブロック４０ａの内部に配置されている。これらの補助溝４２、４２ａは、その長手方向に対して直交する幅方向の溝幅が１−３ｍｍの範囲、本実施形態においては２ｍｍで、高さ（深さ）が１−３ｍｍの範囲、本実施形態においては２ｍｍに形成されている。また、補助溝４２、４２ａの天壁は、その幅方向の断面形状が上方に凸の湾曲状に形成されている。なお、爪先部先端側のブロック４０ａとしては、表面全体が接地面１３となるように構成してもよい。この場合、補助溝４２ａを設ける構成としてもよいし、設けない構成としてもよい。
【００２８】
つぎに、前述した構成からなる本実施形態の作用について説明する。
【００２９】
本実施形態の靴底１０によれば、歩行時に靴底１０のブロック４０と歩行対象箇所の間に介在する水は、歩行時の踵側から爪先側への体重移動により、主溝３２に対して、前後方向に隣位する２つのブロック４０の境界部分に形成された段部を介して、あるいは直接流入する。このとき、ブロック４０の表面を後方から前方に向かって流動して補助溝４２を通過しようとする水は、その流動方向が補助溝４２によって主溝３２に向かうように案内される。また、ブロック４０の表面において、補助溝４２より前方に存在する水は、ブロック４０の境界部分の段部、すなわち前方に配置されたブロックの後端面により前方への流動が阻止され、主溝３２に向かうように案内される。そして、主溝３２に流入した水は、主溝３２の後側から前側に向かって流動して爪先部２１の前端から外部に排水される。すなわち、ブロック４０の表面を水が流動するので、従来と異なり、表面張力によってブロック４０の表面に水が付着するのを防止できる。その結果、排水性を向上できる。
【００３０】
このように、本実施形態の靴底１０によれば、アウトソール１４の底面１２に、前後方向に連続配置された複数のブロック４０を有しており、各ブロック４０は、底面１２の接地面１３からの高さが前方が高く後方が低く形成されているから、従来の主溝と異なり、表面張力によってブロック４０の表面に水が付着するのを防止できるので、排水性を向上できるし、各ブロック４０において底面１２の接地面１３からの高さが前方が高く後方が低く形成されているので、歩行時に各ブロック４０の後部が接地面を強くグリップし、そのためグリップ力を高くできる。
【００３１】
本実施形態の靴底１０によれば、底面１２の内外方向の中央部分に、間隔をおいて配置され下方が開口する内溝３２ａおよび外溝３２ｂからなる内外方向１対の主溝３２が後端と前端とを連通して形成されており、各ブロック４０は、内溝３２ａに隣位する底面１２の内側領域および外溝３２ｂに隣位する底面１２の外側領域のそれぞれに配設されており、内側領域に配置された各ブロック４０の前後方向の境界部分は、内溝側前方から内側後方に向かうように前後方向に対して傾斜しており、外側領域に配置された各ブロック４０の前後方向に連続する境界部分は、外溝側前方から外側後方に向かうように前後方向に対して傾斜しているから、歩行時にブロック４０と歩行対象箇所の間に介在する水を主溝３２に流入させたり、ブロック４０の境界部分から底面１２の内側縁部あるいは外側縁部を介して外部に排水させたりできる。
【００３２】
本実施形態の靴底１０によれば、主溝３２の底面１２の接地面１３からの高さＨは、各ブロック４０の最大高さｈと同じかより高く形成されているから、歩行時にブロック４０と歩行対象箇所の間に介在する水を主溝３２に流動させ易くできるし、主溝３２に流入した水の流動性を高くできる。
【００３３】
本実施形態の靴底１０によれば、各ブロック４０は、底面１２の接地面１３からの高さが主溝側が高く、主溝３２から内外方向に離間した主溝３２とは反対側が低く形成されているから、歩行時にブロック４０と歩行対象箇所の間に介在する水を主溝３２に向かってより流動させ易くなる。その結果、水を爪先部２１の前端から外部に確実に排水できる。
【００３４】
本実施形態の靴底１０によれば、各ブロック４０は、一端が主溝３２に連通する補助溝４２を有しているから、歩行時にブロック４０と歩行対象箇所の間に介在する水を主溝３２に向かって流動させ易くできる。
【００３５】
（第２実施形態）
図６から図８は、本発明に係る靴底の第２実施形態の要部を示すものであり、図６は下面図、図７は図６のｄ−ｄ線に沿った断面図、図８は図６のｅ−ｅ線に沿った断面図である。本実施形態の靴底５０は、前述した第１実施形態の靴底１０における主溝３２を設けない構成としたものを例示している。なお、前述した第１実施形態の靴底１０と同一ないし相当する構成については図面中に同一の符号を付してある。
【００３６】
図６から図８に示すように、本実施形態の靴底５０の底面１２には、前後方向に連続配置された複数のブロック６０が設けられている。各ブロック６０は、底面１２の内縁と外縁との間に連続して配設されている。ブロック６０の数は、４−１０個とすることが適当である。そして、各ブロック６０の前後方向の境界部分は、内外方向の外側前方から内側後方に向かうように前後方向に対して傾斜している。また、各ブロック６０は、底面１２の接地面１３からの高さが内外方向の内側が高く外側が低く形成されており、各ブロック６０の表面には、一端が外側縁部に連通する補助溝６２が設けられている。なお、爪先部先端側のブロック６０ａには、一端が爪先部２１の外周縁部に連通し、他端が周縁に連通しないようにブロック６０ａの内部に配置された２本の補助溝６２ａが形成されている。なお、爪先部先端側のブロック６０ａは、第１実施形態の爪先部先端側のブロック４０ａと同様に、表面全体が接地面１３となるように構成してもよい。
【００３７】
その他の構成については、前述した第１実施形態の靴底１０と同様に形成されており、その詳しい説明については省略する。
【００３８】
本実施形態の靴底１０によれば、歩行時に靴底１０のブロック６０と歩行対象箇所の間に介在する水は、歩行時の踵側から爪先側への体重移動により、前後方向に隣位する２つのブロック４０の境界部分に形成された段部を介して、あるいは直接、底面１２の外側縁部から外部に排水される。このとき、ブロック６０の表面を後方から前方に向かって流動して補助溝６２を通過しようとする水は、その流動方向が補助溝６２によって底面１２の外側縁部に向かうように案内される。また、ブロック６０の表面において、補助溝６２より前方に存在する水は、ブロック４０の境界部分の段部、すなわち前方に配置されたブロック６０の後端面により前方への流動が阻止され、外側縁部に向かうように案内される。すなわち、ブロック６０の表面を水が流動するので、従来と異なり、表面張力によってブロック６０の表面に水が付着するのを防止できる。
【００３９】
このように、本実施形態の靴底５０によれば、アウトソール１４の底面１２に、前後方向に連続配置された複数のブロック６０を有しており、各ブロック６０は、底面１２の接地面１３からの高さが前方が高く後方が低く形成されているから、従来の主溝と異なり、表面張力によってブロック６０の表面に水が付着するのを防止できるから、排水性を向上できるし、各ブロック６０において底面１２の接地面１３からの高さが前方が高く後方が低く形成されているので、歩行時に各ブロック６０の後部に体重による力が集中するので、グリップ力を高くできる。
【００４０】
本実施形態の靴底５０によれば、各ブロック６０の前後方向に連続する境界部分は、内外方向の外側前方から内側後方に向かうように前後方向に対して傾斜しているから、歩行時にブロック６０と歩行対象箇所の間に介在する水を内外方向の外側に向かって流動させ易くできる。
【００４１】
本実施形態の靴底５０によれば、各ブロック６０は、底面１２の接地面１３からの高さが内外方向の内側が高く外側が低く形成されているから、歩行時にブロック６０と歩行対象箇所の間に介在する水を外側縁部、すなわち内外方向の外側に向かって確実に流動させて外部に排水できる。その結果、水が内外方向の内側に排水されないので、水が内外方向の内側に排水されることによって発生する水跳ねにより靴を履いた使用者の付けている靴下やズボンの裾が濡れるという不都合を防止できる。
【００４２】
本実施形態の靴底５０によれば、各ブロック６０は、一端が外側縁部に連通する補助溝６２を有しているから、歩行時にブロック６０と歩行対象箇所の間に介在する水を内外方向外側に向かって流動させ易くできる。
【００４３】
なお、本発明は、前述した各実施形態に限定されるものではなく、必要に応じて種々の変更が可能である。
【符号の説明】
【００４４】
１０、５０  靴底
１２  底面
１３  接地面
１４  アウトソール
２１  爪先部
２２  踏付け部
２３  土踏まず部
２４  踵部
３２  主溝
３２ａ  内溝
３２ｂ  外溝
４０、６０  ブロック
４２、６２  補助溝
【図１】
2013135773.tif 000003
【図２】
2013135773.tif 000004
【図３】
2013135773.tif 000005
【図４】
2013135773.tif 000006
【図５】
2013135773.tif 000007
【図６】
2013135773.tif 000008
【図７】
2013135773.tif 000009
【図８】
2013135773.tif 000010